(57)【要約】【課題】利用者の個人情報をメッセージの送り手に漏洩させずに不特定の相手方からのメッセージを受け入れて特定の利用者に提示する情報表示装置、及びプログラムを提供する。【解決手段】端末の利用者を特定し、当該特定された利用者に係る利用者情報が、利用者データベースにおいて宛先情報の提供が可として設定されているか否かにより、利用者データベースに保持された当該情報表示装置の利用者を特定する利用者情報を端末に対して提示するか否かを制御する。端末から、メッセージを受け入れたときに、宛先となる利用者情報が指定されていれば当該利用者情報とメッセージとをメッセージデータベースに記録させ、メッセージを受け入れたときに、宛先となる利用者情報が指定されていなければ、当該情報表示装置の利用者を特定する利用者情報のうちから予め選択された利用者情報とメッセージとをメッセージデータベースに記録させる。【選択図】図１
2014241546.tif 000002
【特許請求の範囲】
【請求項１】
所定の識別情報に関連付けて、メッセージの送信先となる宛先情報を少なくとも一つ記憶する記憶手段と、
前記識別情報とメッセージの本文情報とを受信する受信手段と、
当該受信した識別情報に関連付けられた宛先情報を前記記憶手段から読み出して、当該読み出した宛先情報が表す宛先宛に、前記受信したメッセージの本文情報を送信する送信手段と、
を含むサーバ装置。
【請求項２】
メッセージを表示する情報表示装置であって、
メッセージを保持するメッセージデータベースと、当該情報表示装置の利用者を特定する利用者情報を蓄積する利用者データベースであって、利用者情報によって特定される利用者ごとに宛先情報の提供可否を関連付けた利用者データベースと、にアクセス可能に接続され、
所定の通信可能範囲にある端末との間で通信する近接通信手段と、
前記近接通信手段により通信を行う端末の利用者を特定する利用者特定手段と、
当該特定された利用者に係る利用者情報が、前記利用者データベースにおいて宛先情報の提供が可として設定されているか否かにより、前記利用者データベースに保持された当該情報表示装置の利用者を特定する利用者情報を端末に対して提示するか否かを制御する宛先提示制御手段と、
前記端末から、メッセージを受け入れたときに、宛先となる利用者情報が指定されていれば当該利用者情報とメッセージとを前記メッセージデータベースに記録させ、メッセージを受け入れたときに、宛先となる利用者情報が指定されていなければ、当該情報表示装置の利用者を特定する利用者情報のうちから予め選択された利用者情報とメッセージとを前記メッセージデータベースに記録させる記録手段と、
を含む情報表示装置。
【請求項３】
所定の識別情報に関連付けて、メッセージの送信先となる宛先情報を少なくとも一つ記憶する記憶手段を含むコンピュータを、
前記識別情報とメッセージの本文情報とを受信する受信手段と、
当該受信した識別情報に関連付けられた宛先情報を前記記憶手段から読み出して、当該読み出した宛先情報が表す宛先宛に、前記受信したメッセージの本文情報を送信する送信手段と、
として機能させるプログラム。
【請求項４】
メッセージを表示する情報表示装置であって、メッセージを保持するメッセージデータベースと、当該情報表示装置の利用者を特定する利用者情報を蓄積する利用者データベースであって、利用者情報によって特定される利用者ごとに宛先情報の提供可否を関連付けた利用者データベースと、にアクセス可能に接続される情報表示装置を、
所定の通信可能範囲にある端末との間で通信する近接通信手段と、
前記近接通信手段により通信を行う端末の利用者を特定する利用者特定手段と、
当該特定された利用者に係る利用者情報が、前記利用者データベースにおいて宛先情報の提供が可として設定されているか否かにより、前記利用者データベースに保持された当該情報表示装置の利用者を特定する利用者情報を端末に対して提示するか否かを制御する宛先提示制御手段と、
前記端末から、メッセージを受け入れたときに、宛先となる利用者情報が指定されていれば当該利用者情報とメッセージとを前記メッセージデータベースに記録させ、メッセージを受け入れたときに、宛先となる利用者情報が指定されていなければ、当該情報表示装置の利用者を特定する利用者情報のうちから予め選択された利用者情報とメッセージとを前記メッセージデータベースに記録させる記録手段と、
として機能させるプログラム。
【発明の詳細な説明】
【技術分野】
【０００１】
本発明は、情報表示装置及びプログラムに関する。
【背景技術】
【０００２】
メッセージの伝達相手を指定してメッセージを預け、伝達相手が到来したときに当該メッセージを表示する装置が、特許文献１に開示されている。
【先行技術文献】
【特許文献】
【０００３】
【特許文献１】特開２００１−３０７１５２号公報
【発明の概要】
【発明が解決しようとする課題】
【０００４】
しかしながら、従来のメッセージを伝達する装置の技術では、メッセージの宛先が自動車のナンバーやメールアドレスといったいわゆる個人情報によって特定される必要がある。また宛先を指定しないメッセージの伝達に関する技術も存在する（緊急情報の通報等）が、このような技術では、メッセージを受ける側が当該メッセージが自己宛であることに気がつかない場合がある。
【０００５】
本発明は上記実情に鑑みて為されたもので、利用者の個人情報をメッセージの送り手に漏洩させずに不特定の相手方からのメッセージを受け入れて特定の利用者に提示する情報表示装置、及びプログラムを提供することを、その目的の一つとする。
【課題を解決するための手段】
【０００６】
上記従来例の問題点を解決する本発明は、メッセージを表示する情報表示装置であって、メッセージを保持するメッセージデータベースと、当該情報表示装置の利用者を特定する利用者情報を蓄積する利用者データベースであって、利用者情報によって特定される利用者ごとに宛先情報の提供可否を関連付けた利用者データベースと、にアクセス可能に接続され、所定の通信可能範囲にある端末との間で通信する近接通信手段と、前記近接通信手段により通信を行う端末の利用者を特定する利用者特定手段と、当該特定された利用者に係る利用者情報が、前記利用者データベースにおいて宛先情報の提供が可として設定されているか否かにより、前記利用者データベースに保持された当該情報表示装置の利用者を特定する利用者情報を端末に対して提示するか否かを制御する宛先提示制御手段と、前記端末から、メッセージを受け入れたときに、宛先となる利用者情報が指定されていれば当該利用者情報とメッセージとを前記メッセージデータベースに記録させ、メッセージを受け入れたときに、宛先となる利用者情報が指定されていなければ、当該情報表示装置の利用者を特定する利用者情報のうちから予め選択された利用者情報とメッセージとを前記メッセージデータベースに記録させる記録手段と、を含むこととしたものである。
【０００７】
さらに本発明の別の態様はプログラムであって、メッセージを表示する情報表示装置であって、メッセージを保持するメッセージデータベースと、当該情報表示装置の利用者を特定する利用者情報を蓄積する利用者データベースであって、利用者情報によって特定される利用者ごとに宛先情報の提供可否を関連付けた利用者データベースと、にアクセス可能に接続される情報表示装置を、所定の通信可能範囲にある端末との間で通信する近接通信手段と、前記近接通信手段により通信を行う端末の利用者を特定する利用者特定手段と、当該特定された利用者に係る利用者情報が、前記利用者データベースにおいて宛先情報の提供が可として設定されているか否かにより、前記利用者データベースに保持された当該情報表示装置の利用者を特定する利用者情報を端末に対して提示するか否かを制御する宛先提示制御手段と、前記端末から、メッセージを受け入れたときに、宛先となる利用者情報が指定されていれば当該利用者情報とメッセージとを前記メッセージデータベースに記録させ、メッセージを受け入れたときに、宛先となる利用者情報が指定されていなければ、当該情報表示装置の利用者を特定する利用者情報のうちから予め選択された利用者情報とメッセージとを前記メッセージデータベースに記録させる記録手段と、として機能させることとしたものである。
【発明の効果】
【０００８】
本発明によると、利用者の個人情報をメッセージの送り手に漏洩させずに不特定の相手方からのメッセージを受け入れて特定の利用者に提示することが可能となる。
【図面の簡単な説明】
【０００９】
【図１】本発明の実施の形態に係る情報表示装置を含む情報処理システムの例を表す構成ブロック図である。
【図２】本発明の実施の形態に係る情報表示装置の表示部及び操作部の概要例を表す説明図である。
【図３】本発明の実施の形態に係る情報表示装置がアクセスするデータベースの内容例を表す説明図である。
【図４】本発明の実施の形態に係る情報表示装置と通信を行う端末装置の例を表す構成ブロック図である。
【図５】本発明の実施の形態に係る情報表示装置の例を表す機能ブロック図である。
【図６】本発明の実施の形態に係る情報表示装置における情報表示例を表す説明図である。
【図７】本発明の実施の形態に係る情報表示装置におけるまた別の情報表示例を表す説明図である。
【図８】本発明の実施の形態に係る情報表示装置がアクセスするデータベースの内容例を表す説明図である。
【発明を実施するための形態】
【００１０】
本発明の実施の形態について図面を参照しながら説明する。本発明の実施の形態に係る情報表示装置１０を含む情報処理システムは、図１に例示するように、情報表示装置１０と、サーバ装置２０と、端末装置３０とを含んで構成される。ここで情報表示装置１０と、サーバ装置２０とは、インターネット等の通信手段を介して互いに通信可能に接続される。
【００１１】
また情報表示装置１０は、図１に例示するように、制御部１１と、記憶部１２と、出力部１３と、第１通信部１４と、第２通信部１５と、操作部１６とを含んで構成される。
【００１２】
ここで制御部１１は、ＣＰＵなどのプログラム制御デバイスであり、記憶部１２に格納されたプログラムに従って動作する。本実施の形態においてこの制御部１１は、利用者登録処理、排除利用者設定処理、メッセージ受領処理、メッセージ出力処理の各処理を実行する。この制御部１１の詳しい動作については後に述べる。
【００１３】
記憶部１２は、メモリデバイス等を含んで構成される。本実施の形態においてこの記憶部１２は、制御部１１によって実行されるプログラムを保持する。このプログラムは、ＤＶＤ−ＲＯＭ等のコンピュータ可読な記録媒体を用いて提供され、この記憶部１２に格納されたものであってもよい。またこの記憶部１２は、制御部１１のワークメモリとしても動作する。出力部１３は、例えば液晶表示パネルや、電子ペーパー等であり、制御部１１から入力される指示に従ってメッセージ等の情報を出力する。
【００１４】
第１通信部１４は、無線ＬＡＮや携帯電話回線網によるネットワークインタフェース等であり、インターネット等の通信手段を介してサーバ装置２０との間で情報を授受する。この第１通信部１４は、制御部１１から入力される指示に従い、サーバ装置２０から種々の情報を取得し、制御部１１に出力する。
【００１５】
第２通信部１５は、ブルートゥース（登録商標）や、FeliCa（登録商標）、RFID等のいわゆるＮＦＣ（Near Field Communication）デバイスであり、この第２通信部１５から高々１メートル程度の範囲を通信可能範囲とし、当該通信可能範囲にある端末装置３０との間で情報を授受するものである。
【００１６】
操作部１６は、タッチパネルやボタン等であり、利用者の指示操作を受け入れて当該指示操作の内容を制御部１１に出力する。本実施の形態の一例では、この操作部１６は図２に例示するように、出力部１３の一例であるディスプレイ（液晶ディスプレイまたは電子ペーパー）の下辺に沿って一列に配された、３つのボタンＢ１，Ｂ２，Ｂ３を含む。
【００１７】
サーバ装置２０は、一般的なサーバコンピュータであり、本実施の形態では、利用者データベース１０１とメッセージデータベース１０２とを保持する（なお、図１ではサーバ装置２０は一つだけ示しているが、このサーバ装置２０は複数のコンピュータ装置を含むシステムであってもよい）。このサーバ装置２０は、情報表示装置１０から受信する要求に応答して利用者データベース１０１やメッセージデータベース１０２に情報を記録し、またこれらのデータベースに格納されている情報を検索し、検索の結果（検索の対象となる情報があったか否か、または当該検索の対象となった情報そのもの）を情報表示装置１０へ配信する。
【００１８】
本実施の形態の一例に係る利用者データベース１０１は図３（ａ）に例示するようなものであり、情報表示装置１０を特定する情報（Ｐ：各情報表示装置１０に固有に設定されている識別情報）に関連付けて、複数の利用者情報（Ｕ）を記録したものである。また本実施の形態の一例では利用者情報（Ｕ）は、利用者を特定する情報としての利用者名と、当該利用者が利用する端末装置３０を特定する情報（端末装置３０のＮＦＣデバイスに固有の情報や、端末装置３０が携帯電話機であれば電話番号等）と、管理者であるか否かを表す管理者フラグと、排除対象利用者であるか否かを表す排除フラグと、宛先情報の提供可否を表す可否情報とを互いに関連付けたものである。
【００１９】
またメッセージデータベース１０２は、図３（ｂ）に例示するように、情報表示装置１０を特定する情報（Ｐ）に関連付けて、メッセージ情報（Ｍ）を記録したものである。ここでメッセージ情報（Ｍ）は、宛先を特定する情報と、メッセージの内容を表す内容情報とを互いに関連付けたものである。またここではメッセージ情報を生成した日時を表す登録日時の情報がさらに関連付けられているものとしている。
【００２０】
また本実施の形態においては、サーバ装置２０は、情報表示装置１０から利用者データベース１０１またはメッセージデータベース１０２へのアクセスを受け入れたときに、当該情報表示装置１０を特定する情報に関連付けられた利用者情報（Ｕ）が一つもない場合は、利用者が登録されていない旨の情報（未登録情報）を、アクセス元の情報表示装置１０に対して報知する。
【００２１】
さらにこのサーバ装置２０は、情報表示装置１０から端末装置３０を特定する情報とともに、利用者情報の要求を受信すると、当該受信した端末装置３０を特定する情報をキーとして利用者データベースを検索する。ここで検索の結果、利用者情報が見出されたときには、サーバ装置２０は、当該見出した利用者情報を情報表示装置１０に対して送信する。またここで検索の結果、利用者情報が見出されなかったときには、その旨を表す情報（新規利用者情報）を、情報表示装置１０に対して送信する。
【００２２】
端末装置３０は、例えばスマートフォン等の携帯電話機、またはハンディターミナル等であり、図４に例示するように、制御部３１と、記憶部３２と、操作部３３と、表示部３４と、第１通信部３５と、第２通信部３６を含んで構成される。
【００２３】
ここで制御部３１は、ＣＰＵなどのプログラム制御デバイスであり、記憶部３２に格納されたプログラムに従って動作する。本実施の形態においてこの制御部３１は、情報表示装置１０との間で通信し、利用者の登録処理を実行する。またこの制御部３１は、メッセージの登録処理として、情報表示装置１０が宛先情報を送信する場合は、当該宛先情報の一覧を表示出力する。そして制御部３１は、操作者からの指示操作に応じて、メッセージの情報を生成して、情報表示装置１０に送出する。
【００２４】
記憶部３２は、メモリデバイス等を含んで構成される。本実施の形態においてこの記憶部３２は、制御部３１によって実行されるプログラムを保持する。このプログラムは、ＤＶＤ−ＲＯＭ等のコンピュータ可読な記録媒体を用いて提供され、この記憶部３２に格納されたものであってもよい。またこの記憶部３２は、制御部３１のワークメモリとしても動作する。
【００２５】
操作部３３は、タッチパネルやテンキー等であり、利用者の指示操作を受け入れて、当該受け入れた指示操作の内容を制御部３１に出力する。表示部３４は、ディスプレイ等であり、制御部３１から入力される指示に従って情報を表示する。第１通信部３５は、ＮＦＣデバイスであり、制御部３１から入力される指示に従い、情報表示装置１０の第２通信部１５との間で情報を授受する。また第２通信部３６は、例えば無線ＬＡＮや携帯電話回線網を介して、インターネット上のサーバ（サーバ装置２０が含まれてもよい）との間で情報を授受する。
【００２６】
次に、情報表示装置１０の制御部１１の動作について述べる。本実施の形態では、この制御部１１は利用者登録処理、排除利用者設定処理、メッセージ受領処理、及びメッセージ出力処理の各処理を実行する。具体的な例としてこの制御部１１は、機能的には、図５に例示するように端末利用者特定部４１と、処理選択部４２と、利用者登録処理部４３と、宛先提供可否判定部４４と、宛先提供部４５と、メッセージ受入部４６と、メッセージ記録部４７と、メッセージ出力部４８とを含んで構成される。
【００２７】
端末利用者特定部４１は、第２通信部１５の通信可能範囲に在圏する端末装置３０を特定する情報を取得する。この端末装置３０を特定する情報は、端末装置３０のＮＦＣデバイスに固有の情報や、端末装置３０が携帯電話機であれば電話番号等でよい。端末利用者特定部４１は、予め情報表示装置１０に固有に定められている情報表示装置１０を特定する情報と、この取得した端末装置３０を特定する情報（以下、対象端末情報と呼ぶ）とをサーバ装置２０に送信し、サーバ装置２０の利用者データベース１０１に、当該対象端末情報を含んだ利用者情報を要求する。
【００２８】
ここでサーバ装置２０が、当該情報表示装置１０を特定する情報に関連付けられた利用者情報（Ｕ）が一つもないとして、利用者が登録されていない旨の未登録情報を報知したときには、端末利用者特定部４１は、当該未登録情報を利用者登録部４３に出力する。また端末利用者特定部４１は、サーバ装置２０が要求に応答して、送信した情報を含む利用者情報を検索により見出し、当該利用者情報に係る情報（利用者情報そのもの、またはその利用者名、管理者フラグ、排除フラグ、及び可否情報を含む利用者情報の一部でもよい）を送信すると、当該情報（以下、認証情報と呼ぶ）を受信し、処理選択部４２に出力する。
【００２９】
さらに端末利用者特定部４１は、サーバ装置２０が送信した情報を含む利用者情報が検索により見出されなかった旨を表す外部利用者情報を送信すると、当該外部利用者情報を受信して、メッセージ作成者として当該外部利用者情報と、メッセージを作成するべき旨の指示とをメッセージ受入部４６に出力する。
【００３０】
処理選択部４２は、端末利用者特定部４１がサーバ装置２０から受信した認証情報を受け入れて、処理選択の処理を開始する。具体的にこの処理選択部４２は、上記受け入れた認証情報を参照して排除フラグがオンであるときには、「メッセージを受け入れられない」旨の情報を出力部１３に表示して、その後端末利用者特定部４１が受信した対象端末情報で特定される端末装置３０から受信する指示を無視する。
【００３１】
またこの処理選択部４２は、上記受け入れた認証情報の排除フラグがオフであれば、対象端末情報をメッセージ出力部４８に出力する。処理選択部４２はさらに、この排除フラグがオフである認証情報を参照して、管理者フラグがオンとなっていれば、利用者の登録処理と、宛先一覧の表示処理と、メッセージの受入処理とのうち、どの処理を行うかを促す画面を出力部１３に表示する。ここで利用者の登録処理を行うべき指示を受け入れると、処理選択部４２は、利用者登録処理部４３に対して登録処理を開始するよう指示する。
【００３２】
また、メッセージの受入処理を行うべき指示を受けたときには、処理選択部４２は、メッセージ受入部４６に対して、端末利用者特定部４１がサーバ装置２０から受信した認証情報を、メッセージ作成者を表す情報として出力するとともに、メッセージを作成するべき旨の指示を出力する。
【００３３】
また処理選択部４２は、宛先一覧の表示処理を行うべき指示を受けると、端末利用者特定部４１がサーバ装置２０から受信した認証情報を宛先提供可否判定部４４に出力するとともに、宛先の一覧を提示するべき旨の指示を宛先提供部４５に出力する。
【００３４】
さらに処理選択部４２は、上記受け入れた認証情報を参照して、管理者フラグがオフであれば、端末利用者特定部４１がサーバ装置２０から受信した認証情報を、メッセージ作成者を特定する情報として出力するとともに、メッセージを作成するべき旨の指示を、メッセージ受入部４６に対して出力する。
【００３５】
利用者登録処理部４３は、サーバ装置２０から受信された、利用者が登録されていない旨を表す未登録情報が入力されると、出力部１３に利用者を登録するよう促す文字列や画像の表示を行う。そして端末装置３０に対してその入力を促すよう指示する。具体的には、この利用者登録処理部４２は、端末装置３０に対して最初の利用者として、利用者名の入力を促すよう指示する。端末装置３０が、この指示に応じてその操作者から利用者名の入力を受け入れて、当該受け入れた利用者名を送信すると、利用者登録処理部４２は、当該送信した利用者名を受け入れる。そして利用者登録処理部４３は、サーバ装置２０に対して、情報表示装置１０を特定する情報と、端末利用者特定部４１が端末装置３０から受信した対象端末情報と、端末装置３０から受け入れた利用者名とを送信し、利用者データベース１０１に記録するよう指示する。サーバ装置２０では、この指示を受けて、当該受信した情報を互いに関連付けた利用者情報を生成して、利用者データベース１０１に記録する。
【００３６】
本実施の形態では、この最初に登録された利用者が管理者となることとし、サーバ装置２０は、ここで生成した利用者情報にでは管理者フラグをオン、排除フラグをオフ、宛先情報の提供可否を「可」として記録する。
【００３７】
また利用者登録処理部４３は、処理選択部４２から登録処理の開始指示を受けると、端末装置３０（管理者の端末装置３０、つまり対象端末情報で特定される端末装置３０）を再度第２通信部１５の通信可能圏内に近づけるべき旨の表示を出力部１３に行う（図６（ａ））。これに対して端末装置３０の操作者が再度、その端末装置３０を第２通信部１５の通信可能圏内に近づけ、端末装置３０を特定する情報が送信されると、利用者登録処理部４３は、当該送信された端末装置３０を特定する情報を受け入れる。そして利用者登録処理部４３は当該受け入れた端末装置３０を特定する情報と、対象端末情報とを比較する。ここで当該比較の結果、両者が互いに異なっていれば、利用者登録処理部４３は処理を中断する。
【００３８】
また比較の結果、利用者登録処理部４３が受け入れた端末装置３０を特定する情報と、対象端末情報とが一致したときには、利用者登録処理部４３は、登録の対象となる端末装置３０を第２通信部１５の通信可能圏内に近づけるべき旨の表示を出力部１３に行う（図６（ｂ））。このとき、併せて動作をキャンセルする指示を入力可能としてもよい（図６（ｂ）ではボタンＢ１が押下されたときキャンセルすることとなる）。利用者登録処理部４３はキャンセルの指示が入力されると、処理を中断する。
【００３９】
一方、登録の対象となる新規の利用者がその端末装置３０を第２通信部１５の通信可能圏内に近づけ、端末装置３０を特定する情報が送信されると、利用者登録処理部４３は、当該送信された端末装置３０を特定する情報を受け入れる。利用者登録処理部４３は、当該第２通信部１５の通信可能圏内に在圏する端末装置３０（新規の登録希望利用者の端末装置３０）に対して利用者名の入力を促すよう指示する。端末装置３０が当該指示に応答して利用者名の入力を操作者に対して促し、操作者が入力した利用者名を送信すると、利用者登録処理部４３は当該利用者名の情報を受け入れて、情報表示装置１０を特定する情報と、登録の対象となる利用者の端末装置３０を特定する情報と、当該端末装置３０から受け入れた利用者名とを送信し、利用者データベース１０１に記録するよう指示する。サーバ装置２０では、この指示を受けて、当該受信した情報を互いに関連付けた利用者情報を生成して、利用者データベース１０１に記録する。サーバ装置２０は、ここでは生成した利用者情報にでは管理者フラグをオフ、排除フラグをオフ、宛先情報の提供可否を「不可」として記録する。
【００４０】
またこの利用者登録処理部４３は、後に説明する宛先提供部４５から、利用者情報とともに修正すべき旨の情報を受け入れると、当該利用者情報を端末装置３０に送信して修正を受け入れる。端末装置３０では、この利用者情報を受信して、当該情報に含まれる利用者名と、管理者フラグと、排除フラグと、可否情報とを表示する（端末装置３０を特定する情報については表示をしてもよいが修正を受け入れないこととする）。そして端末装置３０では、これらに対する修正（例えば排除フラグをオンとするなど）を操作者から受け入れる。端末装置３０が当該修正後の利用者情報を情報表示装置１０に対して送信すると、情報表示装置１０の利用者登録処理部４３は、当該修正された利用者情報を情報表示装置１０を特定する情報とともにサーバ装置１０に送信し、利用者情報の修正を要求する。サーバ装置２０では、この要求を受けて、当該送信された情報表示装置１０を特定する情報に関連付けて利用者データベース１０１に記録されている利用者情報のうち、当該送信された端末装置３０を特定する情報と同じ端末装置３０を特定する情報を含む利用者情報を、送信された利用者情報で置き換える。
【００４１】
宛先提供可否判定部４４は、認証情報の入力を受けて、当該認証情報に含まれる宛先情報の提供可否を参照し、「可」とされていれば、宛先提供部４５に対して提供を許諾する旨を出力する。これにより、当該特定された利用者に係る利用者情報が、利用者データベース１０１において宛先情報の提供が可として設定されているか否かにより、利用者データベース１０１に保持された利用者情報を端末装置３０に対して提示するか否かが制御される。
【００４２】
宛先提供部４５は、処理選択部４２から宛先の一覧を提示するべき旨の指示を受けると、宛先提供可否判定部４４から提供を許諾する旨が出力されたか否かを調べる。ここで宛先提供可否判定部４４から提供を許諾する旨が出力されなければ、宛先提供部４５は処理を終了する。また、宛先提供可否判定部４４から提供を許諾する旨が出力されていれば、宛先提供部４５は、サーバ装置２０に対して情報表示装置１０を特定する情報とともに、宛先となる利用者情報の一覧を要求する。
【００４３】
この要求に応じてサーバ装置２０が、当該要求とともに送信された情報表示装置１０を特定する情報に関連付けて、利用者データベース１０１に格納されている利用者情報を送信する。すると宛先提供部４５は、当該利用者情報を受信して当該受信した利用者情報のそれぞれに含まれる利用者名の一覧を、出力部１３に表示する。
【００４４】
またここでサーバ装置２０は利用者データベース１０１に格納されている利用者情報だけでなく、要求元の情報表示装置１０を特定する情報に関連付けてメッセージデータベース１０２に格納されているメッセージの作成者を表す情報（後に述べるように利用者名であるものとする）を取得し、利用者データベース１０１に格納されている利用者情報に含まれる情報と、このメッセージ作成者を表す情報とを重複を除いて、情報表示装置１０に対して送信してもよい。この場合は、宛先提供部４５は、当該利用者情報とメッセージの作成者を表す情報とを受信して当該受信した情報のそれぞれに含まれる利用者名の一覧を、出力部１３に表示する。
【００４５】
なお、宛先提供部４５は、宛先となる利用者名の一覧を出力部１３に出力している間、対象端末情報で特定される端末装置３０が、第２通信部１５の通信可能範囲に在圏しているか否かを所定のタイミングごとに繰り返し調べる。そして端末装置３０が、第２通信部１５の通信可能範囲に在圏していないと判断される場合は、その時点から予め定めた時間だけ待機してから利用者名の一覧の表示処理を終了してもよい。
【００４６】
このとき、当該予め定めた時間は、認証情報に含まれる管理者フラグがオンであるか否かによって異ならせてもよい。たとえば管理者フラグがオンである場合の時間は、管理者フラグがオフである場合の時間よりも長めとしてもよい。また、管理者フラグがオフである場合の時間を「０」（通信可能範囲から離脱した場合に直ちに表示を中止する）としてもよい。また、このとき、上記予め定めた時間だけ待機した後、宛先提供部４５は、対象端末情報で特定される端末装置３０が、第２通信部１５の通信可能範囲に在圏しているか否かを再度調べ、対象端末情報で特定される端末装置３０が、第２通信部１５の通信可能範囲に在圏していないときに、利用者名の一覧の表示処理を終了することとしてもよい。
【００４７】
ここで利用者が、当該一覧から利用者を選択する操作を行うと、宛先提供部４５は、当該利用者に対してメッセージを送信するか、当該利用者の利用者情報を修正するかを問い合せる表示を行い、利用者に選択を促す。ここで利用者がメッセージを送信する旨の指示を行うと、認証情報を、メッセージ作成者を表す情報として出力するとともに、宛先提供部４５は選択された利用者の利用者情報を宛先としてメッセージを作成するべき旨の指示を、メッセージ受入部４６に出力する。
【００４８】
また宛先提供部４５は、利用者情報を修正する旨の指示を利用者から受け入れると、当該選択された利用者の利用者情報を修正するべき旨の情報を、利用者登録処理部４３に出力する。
【００４９】
メッセージ受入部４６は、メッセージを作成するべき旨の指示を受けると、端末装置３０に対してメッセージの入力を促すよう指示する。そして端末装置３０の操作者が端末装置３０の促すところに従って、端末装置３０を操作してメッセージを入力する。このように本実施の形態では操作者は、使い慣れた自己所有の端末装置３０を用いてメッセージの入力操作を行うことができる。メッセージ受入部４６が、端末装置３０がその操作者から入力を受けたメッセージを送信すると、当該送信されたメッセージを第２通信部１５を介して受け入れる。そして当該受け入れたメッセージをメッセージ記録部４７に出力する。またこのときメッセージ受入部４６は、メッセージ作成者を表す情報として、メッセージを作成するべき旨の指示とともに受け入れた情報（利用者名や外部利用者情報）を、受け入れたメッセージとともにメッセージ記録部４７に出力する。さらにメッセージ受入部４６は、メッセージを作成するべき旨の指示とともに宛先となる利用者情報を受け入れている場合は、当該宛先となる利用者情報も、受け入れたメッセージとともにメッセージ記録部４７に出力する。
【００５０】
なお、メッセージ受入部４６は、メッセージの作成者を表す情報として外部利用者情報が入力された場合は、メッセージとともに利用者名を入力するべき旨、操作者に促すよう端末装置３０に対して指示してもよい。この場合、メッセージ受入部４６は、メッセージとともに入力された利用者名を受け入れて、当該受け入れた利用者名をメッセージの作成者を表す情報としてメッセージ記録部４７に出力することとする。
【００５１】
メッセージ記録部４７は、メッセージ受入部４６から受け入れたメッセージとともに、宛先となる利用者情報が入力された場合は、当該利用者情報と、メッセージ作成者を表す情報と、受信したメッセージとを、情報表示装置１０を特定する情報とともにサーバ装置２０に送信し、これらを関連付けてメッセージデータベース１０２に記録させる。
【００５２】
またこのメッセージ記録部４７は、メッセージ受入部４６から受け入れたメッセージとともに、宛先となる利用者情報が入力されていなければ（つまり宛先が明示的に指定されていなければ）、当該情報表示装置１０に関連付けて利用者データベース１０１に記録されている利用者情報のうちから予め選択された利用者情報を宛先として、当該利用者情報（このうち端末装置３０を特定する情報だけでもよい）と、メッセージ作成者を表す情報と、受信したメッセージとを、情報表示装置１０を特定する情報とともにサーバ装置２０に送信し、これらを関連付けてメッセージデータベース１０２に記録させる。
【００５３】
ここで宛先が明示的に指定されない場合に、利用者データベース１０１に記録されている利用者情報のうちから選択される利用者情報は例えば、当該情報表示装置１０を特定する情報に関連付けて、利用者データベース１０１に最初に登録された利用者情報であってもよい。また、当該情報表示装置１０を特定する情報に関連付けて、利用者データベース１０１に登録された利用者情報のうち、管理者フラグがオンとなっている利用者情報（複数ある場合は複数の利用者情報を宛先とする）であってもよい。さらに当該情報表示装置１０を特定する情報に関連付けて、利用者データベース１０１に登録された利用者情報のうち、宛先情報の提供可否が「可」となっている利用者情報（複数ある場合は複数の利用者情報を宛先とする）であってもよい。
【００５４】
メッセージ出力部４８は、サーバ装置２０に対して、情報表示装置１０を特定する情報とともに、入力された対象端末情報が宛先として関連付けられているメッセージが、メッセージデータベース１０２に記録されているか否かを問い合わせる。サーバ装置２０は、この問い合わせに応答して入力された対象端末情報が宛先として関連付けられているメッセージをメッセージデータベース１０２から検索し、検索の結果、メッセージが見出された場合は、当該メッセージと、それに関連付けてメッセージデータベース１０２に記録されている、メッセージの作成者を表す情報（認証情報に含まれる利用者名でよい）を情報表示装置１０へ送信する。また検索の結果、メッセージが見出されなければ、サーバ装置２０は、メッセージがない旨の情報を情報表示装置１０へ送信する。
【００５５】
メッセージ出力部４８は、サーバ装置２０からメッセージがない旨の情報を受信すると、出力部１３に例えば「新規メッセージはありません」のような情報を表示する。またこのメッセージ出力部４８は、検索の結果として見出されたメッセージが送信された場合には、出力部１３に当該メッセージを表示する。この際、メッセージ出力部４８は、当該メッセージの内容だけでなく、当該メッセージの作成者を表す情報を併せて表示してもよい（図６（ｃ））。
【００５６】
なお、このメッセージ出力部４８としての動作においても、制御部１１は対象端末情報で特定される端末装置３０が、第２通信部１５の通信可能範囲に在圏しているか否かを所定のタイミングごとに繰り返し調べることとする。そして当該端末装置３０が、第２通信部１５の通信可能範囲に在圏していないと判断される場合は、その時点から予め定めた時間だけ待機してからメッセージの出力処理を終了してもよい。
【００５７】
このとき、当該予め定めた時間は、認証情報に含まれる管理者フラグがオンであるか否か、または当該端末装置３０を特定する情報が、この情報表示装置１０を特定する情報に関連付けて利用者データベース１０１に記録されているか否かによって異ならせてもよい。たとえば管理者フラグがオンである場合の時間は、管理者フラグがオフである場合の時間よりも長めとしてもよい。また、管理者フラグがオフである場合の時間を「０」（通信可能範囲から離脱した場合に直ちに表示を中止する）としてもよい。また、このとき、上記予め定めた時間だけ待機した後、制御部１１は、対象端末情報で特定される端末装置３０が、第２通信部１５の通信可能範囲に在圏しているか否かを再度調べ、対象端末情報で特定される端末装置３０が、第２通信部１５の通信可能範囲に在圏していないときに、メッセージの出力処理を終了することとしてもよい。
【００５８】
さらに制御部１１は、各部の処理がいずれも終了した場合には、記憶部１２に記録した宛先の情報やメッセージの情報等を削除する。
【００５９】
またここで端末装置３０の制御部３１の動作例について述べる。この制御部３１は、情報表示装置１０から、利用者名の入力を促すよう指示を受けると、当該指示に応じて利用者名の入力を促す表示を行う。そして制御部３１は、操作者から利用者名の入力を受け入れると、当該受け入れた利用者名を指示元である情報表示装置１０へと送信する。
【００６０】
またこの制御部３１は、利用者情報を情報表示装置１０から受信して、その修正を促すよう指示を受けると、当該指示に従い、当該受信した利用者情報に含まれる利用者名と、管理者フラグと、排除フラグと、可否情報とを表示する。なお、端末装置３０を特定する情報についても表示してもよい。そして制御部３１は、利用者名と、管理者フラグと、排除フラグと、可否情報との少なくとも一つについての修正を操作者から受け入れて、当該修正後の利用者情報を情報表示装置１０に対して送信する。
【００６１】
さらに制御部３１は、情報表示装置１０からメッセージの入力を促すよう指示を受けると、当該指示に従い、メッセージの入力欄を表示して、メッセージの入力を受け入れる。ここで操作者が、メッセージを入力すると、制御部３１は、当該操作者から入力を受けたメッセージを情報表示装置１０へ送信する。またこのとき制御部３１は、情報表示装置１０からメッセージの入力とともに、利用者名の入力を促すよう指示を受けると、当該指示に従い、メッセージの入力欄と利用者名の入力欄とを表示して、メッセージと利用者名との入力を受け入れる。ここで操作者が、メッセージと利用者名とを入力すると、制御部３１は、当該操作者から入力を受けたメッセージと利用者名とを情報表示装置１０へ送信する。ここで制御部３１は、利用者名が入力されるまではメッセージが入力されても情報表示装置１０へのメッセージの送信を行わないよう制御してもよい。つまり、利用者名なしのままでメッセージが送られないよう制御してもよい。また、この制御部３１は操作者から利用者名の入力を受け入れる代わりに、予め端末装置３０に設定されている利用者名の情報を、操作者が入力したメッセージとともに情報表示装置１０に送信することとしてもよい。
【００６２】
本実施の形態は、以上の構成を備えてなり、次のように動作する。具体的に以下の例では、家庭の玄関先に情報表示装置１０を置いておく例について述べる。このとき当該情報表示装置１０を用いて、予め当該家庭に属する利用者（以下、Ａ，Ｂ，Ｃとする）を利用者データベース１０１に登録しておく。またここでは利用者Ａ，Ｂについては管理者フラグがオンであるとし、利用者Ｃについては管理者フラグがオフであるとする。また、利用者Ａ，Ｂ，Ｃのいずれも、排除フラグはオフであり、また宛先情報の提供可否が「可」として設定されているものとする。
【００６３】
ここで例えば利用者Ａが端末装置３０Ａを情報表示装置１０に近接させると、情報表示装置１０の第２通信部１５の通信可能範囲に利用者Ａの端末装置３０Ａが在圏することとなる。そこで情報表示装置１０はこの端末装置３０Ａを特定する情報を取得し、当該情報とこの情報表示装置１０を特定する情報とに関連付けられた利用者情報をサーバ装置２０に対して要求する。
【００６４】
サーバ装置２０では、利用者Ａに係る利用者情報を情報表示装置１０に送信し、情報表示装置１０では、利用者Ａの利用者情報を受信する。ここで利用者Ａについては、管理者フラグがオンであり、排除フラグがオフであるので、情報表示装置１０は、サーバ装置２０に対して利用者Ａを宛先とするメッセージを要求する。
【００６５】
ここではこの段階でサーバ装置２０において利用者Ａを宛先とするメッセージが、メッセージデータベース１０２に記録されていないものとする。そこで情報表示装置１０は、サーバ装置２０からメッセージがない旨の情報を受信し、「新規メッセージはありません」といった情報を表示出力する。
【００６６】
また情報表示装置１０は、利用者の登録処理と、宛先一覧の表示処理と、メッセージの受入処理とのうち、どの処理を行うかを促す画面を表示する。ここで利用者Ａが宛先の一覧を提示するべき旨の指示を行うと、利用者Ａについては宛先情報の提供可否が「可」であるので、サーバ装置２０に対して情報表示装置１０を特定する情報とともに、宛先となる利用者情報の一覧を要求する。
【００６７】
サーバ装置２０は、当該要求とともに送信された情報表示装置１０を特定する情報に関連付けて、利用者データベース１０１に格納されている利用者情報を読み出すとともに、要求元の情報表示装置１０を特定する情報に関連付けてメッセージデータベース１０２に格納されているメッセージの作成者を表す情報（後に述べるように利用者名であるものとする）を取得し、利用者データベース１０１に格納されている利用者情報に含まれる情報と、このメッセージ作成者を表す情報とを重複を除いて送出する。
【００６８】
情報表示装置１０では、こうしてサーバ装置２０から利用者情報と、メッセージの作成者を表す情報とを受信して当該受信した情報のそれぞれに含まれる利用者名の一覧を表示する。利用者Ａが、例えば当該一覧から利用者Ｃを選択する操作を行うと、情報表示装置１０は、利用者Ｃに対してメッセージを送信するか、利用者Ｃの利用者情報を修正するかを問い合せる表示を行って利用者Ａに選択を促す。
【００６９】
ここで利用者Ａがメッセージを送信する旨の指示を行うと、利用者Ａの利用者名の情報をメッセージ作成者を表す情報として出力するとともに、選択された利用者Ｃの利用者情報を宛先としてメッセージを作成する。具体的にここでは、情報表示装置１０は、利用者Ａの端末装置３０Ａに対してメッセージの入力を促すよう指示する。端末装置３０Ａの操作者である利用者Ａは、この端末装置３０Ａの促すところに従って、端末装置３０Ａを操作してメッセージを入力する。そして端末装置３０Ａがその操作者である利用者Ａから入力を受けたメッセージを送信すると、当該送信されたメッセージを情報表示装置１０が第２通信部１５を介して受け入れる。
【００７０】
ここでの例では、宛先となる利用者Ｃの利用者情報が入力されているので、情報表示装置１０は、当該利用者Ｃの利用者情報を宛先とし、メッセージ作成者を表す情報である利用者Ａの利用者名と、入力されたメッセージとを、情報表示装置１０を特定する情報とともにサーバ装置２０に送信する。
【００７１】
サーバ装置２０では、当該受信した情報に基づいて、宛先を利用者Ｃ、メッセージの作成者を表す情報を利用者Ａの利用者名として、これらをメッセージに関連付けてメッセージデータベース１０２に記録する。
【００７２】
この後、利用者Ｃがその所有する端末装置３０Ｃを情報表示装置１０に近接させると、情報表示装置１０の第２通信部１５の通信可能範囲に利用者Ｃの端末装置３０Ｃが在圏することとなって、情報表示装置１０はこの端末装置３０Ｃを特定する情報を取得し、当該情報と情報表示装置１０を特定する情報とに関連付けられた利用者情報をサーバ装置２０に対して要求する。
【００７３】
サーバ装置２０では、利用者Ｃに係る利用者情報を情報表示装置１０に送信し、情報表示装置１０では、利用者Ｃの利用者情報を受信する。ここで利用者Ｃについては、排除フラグがオフであるので、情報表示装置１０は、サーバ装置２０に対して利用者Ｃを宛先とするメッセージを要求する。
【００７４】
ここではサーバ装置２０のメッセージデータベース１０２に、利用者Ｃを宛先とした、利用者Ａからのメッセージが記録されているので、サーバ装置２０は、当該メッセージと、当該メッセージの作成者を表す情報である、利用者Ａの利用者名とを送出する。
【００７５】
情報表示装置１０は、この情報を受信して、サーバ装置２０が送出したメッセージと、当該メッセージの作成者を表す利用者Ａの利用者名とを併せて表示する。こうして利用者Ｃが利用者Ａからのメッセージを受け取ることができるようになる。
【００７６】
また本実施の形態の動作の別の例として、例えば宅配便の配達者Ｄが端末装置３０Ｄを情報表示装置１０に近接させる場合を説明する。これは具体的に、宅配便を届けに来た配達者Ｄが、この情報表示装置１０を玄関先に配した家庭が留守であるなどして配達ができなかった場合に、その旨のメッセージを残したい場合などが考えられる。
【００７７】
この例では、利用者（配達者）Ｄがその所有する端末装置３０Ｄを情報表示装置１０に近接させると、情報表示装置１０の第２通信部１５の通信可能範囲に利用者Ｄの端末装置３０Ｄが在圏することとなる。そこで情報表示装置１０はこの端末装置３０Ｄを特定する情報を取得し、当該情報と、情報表示装置１０を特定する情報とに関連付けられた利用者情報をサーバ装置２０に対して要求する。
【００７８】
サーバ装置２０では、この要求元である情報表示装置１０を特定する情報に関連付けられた利用者情報のうちに、利用者Ｄの端末装置３０Ｄを特定する情報を含むものがないので、この利用者Ｄが外部利用者であるとして、操作者に対し、メッセージとともに利用者名を入力するよう促すべく端末装置３０Ｄに対して指示する。
【００７９】
端末装置３０Ｄは、情報表示装置１０からメッセージの入力とともに、利用者名の入力を促すよう指示を受けて、当該指示に従い、メッセージの入力欄と利用者名の入力欄とを表示して、操作者である利用者Ｄからメッセージと利用者名との入力を受け入れ、当該受け入れたメッセージと利用者名とを情報表示装置１０へ送出する。
【００８０】
情報表示装置１０は、メッセージとともに入力された利用者名を受け入れるが、ここでは宛先となる利用者情報が入力されていない（つまり宛先が明示的に指定されていない）ので、当該情報表示装置１０を特定する情報に関連付けて利用者データベース１０１に記録されている利用者情報のうちから予め選択された利用者情報を宛先として、メッセージ作成者を表す情報（端末装置３０Ｄから受け入れた利用者名）と、受信したメッセージとを、情報表示装置１０を特定する情報とともにサーバ装置２０に送信する。なお、ここでは宛先となる利用者は、利用者情報のうち、管理者フラグがオンとなっている利用者情報（複数ある場合は複数の利用者情報を宛先とする）に係る利用者Ａ，Ｂであるものとする。
【００８１】
サーバ装置２０では、当該受信した情報に基づいて、宛先を利用者Ａ，Ｂ、メッセージの作成者を表す情報を利用者Ｄが入力した利用者名として、これらをメッセージに関連付けてメッセージデータベース１０２に記録する。
【００８２】
これにより、その後、利用者Ａまたは利用者Ｂがそれぞれが所持する端末装置３０Ａまたは３０Ｂを情報表示装置１０に近接されたとき、当該利用者Ａ，Ｂ宛のメッセージとして利用者Ｄが入力したメッセージが表示されることとなる。
【００８３】
このように本実施の形態では、外部利用者がメッセージを残す場合に、宛先となる利用者の一覧が提供されることがなく、一方で予め登録された利用者であって、宛先一覧の提供が許諾された利用者に対しては宛先の一覧が提供されることとなる。
【００８４】
さらに、本実施の形態では、仮に悪意ある利用者Ｅがメッセージを残した場合に、利用者Ａ，Ｂなど管理者としての利用者は、この利用者Ｅを利用者データベース１０１に登録するとともに、その排除フラグをオンに設定することができる。このようにした場合、その後利用者Ｅがその端末装置３０Ｅを情報表示装置１０に近接させたとしても、メッセージ等が受け付けられない旨が表示されて悪用されるなどの虞がない。また仮にこの情報表示装置１０が盗難されたとしても、この情報表示装置１０自体には宛先情報は記録されていないので、個人情報の漏洩機会が低減される。
【００８５】
さらに本実施の形態のここまでの説明においてメッセージは、文字列の情報に限られるものではない。すなわち、メッセージはビットマップ画像であってもよいし、写真やバイナリファイル、音声データ等であっても構わない。
【００８６】
また本実施の形態のここまでの説明では、情報表示装置１０と端末装置３０との間はＮＦＣによる通信によるものとしていたが、これに限られるものではなく、例えば無線ＬＡＮ等によって通信するものであってもよい。さらに情報表示装置１０とサーバ装置２０との間の通信は、端末装置３０を介して行われてもよい。この場合、情報表示装置１０がサーバ装置２０へ送信するべき要求やデータは、端末装置３０に送出され、端末装置３０が当該要求やデータをサーバ装置２０に対して、無線ＬＡＮや、携帯電話通信網を介して送出する。また、端末装置３０はこの場合、無線ＬＡＮや、携帯電話通信網を介してサーバ装置２０から情報表示装置１０宛のデータ等を受信し、当該データを情報表示装置１０へ送出する。この場合、情報表示装置１０とサーバ装置２０との間の通信は、端末装置３０において傍受できないようにするため、所定の方法で暗号化されていてもよい。
【００８７】
さらに本実施の形態のサーバ装置２０では、利用者データベース１０１に含まれる各利用者情報に、利用者ごとのメールアドレスなどの連絡先情報を関連付けて保持可能となっていてもよい。この場合、サーバ装置２０は、メッセージを受信したときに、その宛先となった利用者情報に連絡先情報が含まれていれば、当該連絡先情報に対してメッセージがある旨（あるいはメッセージそのもの）を送信してもよい。
【００８８】
さらに本実施の形態のここまでの説明では、メッセージは端末装置３０にて入力され、情報表示装置１０に送出されて、情報表示装置１０からサーバ装置２０へ送信されるものとしていたが、本実施の形態はこれに限られない。
【００８９】
すなわち端末装置３０は、情報表示装置１０からメッセージの入力を促すよう指示を受けるときに、併せて情報表示装置１０を特定する情報と、宛先となる利用者情報（あれば）と、メッセージの作成者を表す情報とを受け入れておく。そして当該指示に従い、メッセージの入力欄を表示して、メッセージの入力を受け入れる。また端末装置３０は、メッセージの作成者を表す情報が外部利用者情報であれば、利用者名の入力欄を表示して利用者名の入力を受け入れることとする。
【００９０】
ここで操作者が、メッセージ（利用者名の入力欄がある場合はメッセージと利用者名、以下メッセージ等と表記する）を入力すると端末装置３０は、当該情報表示装置１０を特定する情報と、宛先となる利用者情報と、入力されたメッセージ等をサーバ装置２０へ送出する。サーバ装置２０では、当該受信した情報に基づいて、情報表示装置１０を特定する情報と、宛先となる利用者情報と、メッセージの作成者を表す情報と、メッセージとを関連付けてメッセージデータベース１０２に記録する。なお端末装置３０は、宛先となる利用者情報が入力されなかった場合は、当該情報表示装置１０を特定する情報に関連付けて利用者データベース１０１に記録されている利用者情報のうちから予め選択された利用者情報を宛先とするよう、サーバ装置２０に指示してもよい。
【００９１】
この場合、サーバ装置２０では、当該情報表示装置１０を特定する情報に関連付けて利用者データベース１０１に記録されている利用者情報のうちから予め選択された利用者情報を宛先として、情報表示装置１０を特定する情報と、当該宛先となる利用者情報と、メッセージの作成者を表す情報と、メッセージとを関連付けてメッセージデータベース１０２に記録する。ここでも予め選択された利用者情報については既に述べた例と同様のものであるとする。
【００９２】
さらにこの例において、メッセージの作成者を表す情報は必ずしも情報表示装置１０から受け入れる必要はない。すなわちこの例においては、端末装置３０の操作者に必ず利用者名を入力させることとすればよい。このようにすれば、端末装置３０と情報表示装置１０とは必ずしも双方向に通信を行わなくてもよい。すなわち情報表示装置１０は、当該情報表示装置１０を特定する情報を表す符号画像（バーコードやＱＲコード（登録商標）等）を表示し、端末装置３０が当該表示された符号画像をカメラ等で撮像して取得し、当該符号画像をデコードして情報表示装置１０を特定する情報を取得することとすればよい。このとき端末装置３０は、メッセージの入力欄と利用者名の入力欄とを表示して操作者からそれぞれの情報の入力を受け入れることとする。
【００９３】
ここで操作者が、メッセージと利用者名とを入力すると、端末装置３０は、符号画像を復号して得た情報表示装置１０を特定する情報と、入力されたメッセージと、利用者名とをサーバ装置２０へ送出する。またこのとき端末装置３０はサーバ装置２０に対して、当該情報表示装置１０を特定する情報に関連付けて利用者データベース１０１に記録されている利用者情報のうちから予め選択された利用者情報を宛先とさせる。
【００９４】
サーバ装置２０では、当該受信した情報に基づいて、情報表示装置１０を特定する情報と、宛先となる利用者情報と、メッセージの作成者を表す情報と、メッセージとを関連付けてメッセージデータベース１０２に記録する。
【００９５】
さらに本実施の形態では、サーバ装置２０が端末装置３０ごとに最終のアクセス時刻を記録しておき、メッセージについては当該アクセス時刻より前に記録されたか、後に記録されたかによってメッセージの未読・既読を管理してもよい。なお、メッセージの未読・既読の管理方法についてはこれに限らず、メッセージごとに、メッセージを送信したときに受信していた利用者情報に含まれる情報で特定される端末装置３０を関連付けて追記することで、メッセージを読み取った利用者を特定することにより行うなど、種々の方法が採用できる。
【００９６】
また本発明の実施の形態は、ここまでに述べた例に限られない。本発明の実施の形態に係る情報処理システムは、例えば図７に例示するように、情報提供装置５０と、サーバ装置２０′と、端末装置３０′とを含むものであってもよい。ここで情報提供装置５０は、制御部５１と、記憶部５２と、通信部５３とを含んで構成され、端末装置３０′との間で通信を行う。またこの端末装置３０′は、サーバ装置２０′との間で情報を授受する。
【００９７】
この制御部５１は、ＣＰＵなどのプログラム制御デバイスであり、記憶部５２に格納されたプログラムに従って動作する。本実施の形態のこの例においてこの制御部５１は、情報提供装置５０を特定する情報（Ｐ）を発信する処理を実行する。
【００９８】
記憶部５２は制御部５１によって実行されるプログラムを保持する。このプログラムは、ＤＶＤ−ＲＯＭ等のコンピュータ可読な記録媒体に格納されて提供され、この記憶部５２にインストールされたものであってもよい。またこの記憶部５２は制御部５１のワークメモリとしても動作する。本実施の形態の一例では、この記憶部５２には、情報提供装置５０を特定する情報（Ｐ）が保持される。
【００９９】
通信部５３は、ブルートゥース（登録商標）や、FeliCa（登録商標）、RFID等のいわゆるＮＦＣ（Near Field Communication）デバイスであり、この通信部５３から高々１メートル程度の範囲を通信可能範囲とし、当該通信可能範囲にある端末装置３０′との間で情報を授受するものである。
【０１００】
本実施の形態のこの例においては、サーバ装置２０′は、一般的なサーバコンピュータである。この例でのサーバ装置２０は複数のコンピュータ装置を含むシステムであってもよい。このサーバ装置２０′は、端末装置３０′との間でインターネットや携帯電話通信網等の広域通信手段を介して情報の送受を行う。またこのサーバ装置２０′は、図８に例示するような利用者データベース１０３を保持する。
【０１０１】
本実施の形態の一例に係る利用者データベース１０３は図８に例示するようなものであり、情報提供装置５０を特定する情報（Ｐ：各情報提供装置５０に固有に設定されている識別情報）に関連付けて、少なくとも一つの利用者情報（Ｕ）を記録したものである。また本実施の形態の一例では利用者情報（Ｕ）は、利用者を特定する情報としての利用者名と、当該利用者が利用する端末装置３０′へのメッセージの送信先を表す宛先情報（端末装置３０′のメールアドレスや、端末装置３０′が携帯電話機であれば電話番号等でもよい）とを関連付けたものである。さらに本実施の形態のある例では、利用者データベース１０３には、管理者となる利用者の利用者名と、当該利用者を認証するためのパスワードとが、情報提供装置５０を特定する情報（Ｐ）ごとに設定されていてもよい。
【０１０２】
またこのサーバ装置２０′は、端末装置３０′から情報提供装置５０を特定する情報（Ｐ）と、メッセージの本文情報と、当該情報の送信元である端末装置３０′へのメッセージの送信先を表す宛先情報（以下、当初発信元宛先情報と呼ぶ）とを受信すると、サーバ装置２０′は、固有のメッセージ識別子（Ｄ）を発行し、当該メッセージ識別子と、受信した情報（Ｐ）と、メッセージの本文情報（Ｍ）と、当初発信元宛先情報（Ｉ）とを互いに関連付けたメッセージレコードを生成し、メッセージデータベースとして蓄積して保持する。
【０１０３】
またサーバ装置２０′は、当該受信した情報（Ｐ）に関連付けられた利用者情報（Ｕ）を利用者データベース１０３から検索する。ここで、受信した情報（Ｐ）に関連付けられた利用者情報（Ｕ）が見出されると、サーバ装置２０′は、当該利用者情報（Ｕ）に含まれる少なくとも一つの宛先情報（Ａ）を読み出す。そしてサーバ装置２０′は、当該読み出した宛先情報（Ａ）で表される各宛先宛に、蓄積したメッセージの本文情報（Ｍ）と、それに関連付けられたメッセージ識別子（Ｄ）と、当初発信元宛先情報（Ｉ）とを送信する。
【０１０４】
さらにこのサーバ装置２０′は、メッセージ識別子（Ｄ）と、メッセージの本文情報（Ｍ）と、少なくとも一つの宛先情報（Ａ：当初発信元宛先情報として蓄積されたものを含んでもよい）と、当該情報の送信元である端末装置３０′へのメッセージの送信先を表す宛先情報（Ｆ：以下、単に発信元宛先情報と呼ぶ）とを端末装置３０′から受信すると、このメッセージ識別子（Ｄ）と、メッセージの本文情報（Ｍ）とを関連付けてメッセージレコードを生成し、メッセージデータベースに蓄積して保持する。またこのときサーバ装置２０′は、当該宛先情報（Ａ）の表す宛先宛に、当該当該宛先情報（Ａ）と、受信したメッセージの本文情報（Ｍ）と、それに関連付けられたメッセージ識別子（Ｄ）と、発信元宛先情報（Ｆ）とを送信する。なお、このとき当初発信元宛先情報（Ｉ）が表す宛先宛には、宛先情報（Ａ）や発信元宛先情報（Ｆ）を含めずに、受信したメッセージの本文情報（Ｍ）と、それに関連付けられたメッセージ識別子（Ｄ）とのみを送信することとしてもよい。
【０１０５】
このように当初発信元宛先情報が表す宛先宛に宛先情報を送信しない場合、この当初発信元宛先情報が表す宛先である端末装置３０′からの返信には、宛先情報が明示的には含まれないこととなる。つまりこの場合サーバ装置２０′は、メッセージ識別子（Ｄ）と、メッセージの本文情報（Ｍ）と、当該情報の送信元である端末装置３０′へのメッセージの送信先を表す宛先情報（Ｆ：発信元宛先情報、この例では当初発信元宛先情報（Ｉ）と同じ）とを端末装置３０′から受信することとなる。
【０１０６】
このときには、サーバ装置２０′は、メッセージ識別子（Ｄ）と、メッセージの本文情報（Ｍ）とを関連付けてメッセージレコードを生成し、メッセージデータベースに蓄積して保持するとともに、当該受信したメッセージ識別子（Ｄ）に関連付けられてメッセージデータベースに蓄積されている、情報提供装置５０を特定する情報（Ｐ）を読み出し、この情報（Ｐ）に関連付けられた利用者情報（Ｕ）を利用者データベース１０３から読み出して、当該利用者情報（Ｕ）に含まれる少なくとも一つの宛先情報（Ａ）を取得する。そしてサーバ装置２０′は、当該取得した宛先情報（Ａ）で表される各宛先宛に、受信したメッセージの本文情報（Ｍ）と、メッセージ識別子（Ｄ）と、当初発信元宛先情報（Ｉ）とを送信する。
【０１０７】
端末装置３０′は、例えばスマートフォン等の携帯電話機、またはハンディターミナル等であり、図４に例示した端末装置３０と同様の構成を備える。
【０１０８】
この例に係る端末装置３０′では、その制御部３１は操作者の操作により情報提供装置５０に対して、当該情報提供装置５０自身を特定する情報（Ｐ）を要求する。そしてこの要求に応答して情報提供装置５０が、当該情報提供装置５０自身を特定する情報（Ｐ）を送出すると、当該情報（Ｐ）を受信する。
【０１０９】
そして制御部３１は、メッセージの入力欄を表示して、メッセージの入力を受け入れる。ここで操作者がメッセージの本文を入力すると、制御部３１は、当該操作者から入力を受けたメッセージ本文を表すメッセージの本文情報と、情報提供装置５０から受け入れた情報（Ｐ）とをサーバ装置２０′へ送信する。
【０１１０】
またこの端末装置３０′の制御部３１は、サーバ装置２０′からメッセージの本文情報（Ｍ）を受信すると、操作者に対してメッセージの受信を報知する。ここで操作者がメッセージを表示するよう指示すると、制御部３１は当該サーバ装置２０から受信したメッセージの本文情報（Ｍ）を表示する。また端末装置３０′は、このとき、宛先情報（Ａ）が受信されていれば、当該宛先情報（Ａ）を併せて表示してもよい。
【０１１１】
さらに端末装置３０′の制御部３１は、受信したメッセージに対する返信の指示を操作者から受け入れると、メッセージの入力欄を表示して、メッセージの入力を受け入れる。ここで操作者がメッセージの本文を入力すると、制御部３１は、当該操作者から入力を受けたメッセージの本文情報（Ｍ）と、受信したメッセージ識別子（Ｄ）とをサーバ装置２０′へ送信する。
【０１１２】
また制御部３１は、メッセージの本文情報（Ｍ）に加えて宛先情報（Ａ）を表示しているときに、操作者から宛先情報の一部を選択する指示を受けたときには、当該選択された一部の宛先情報（Ａ）と、操作者が入力したメッセージの本文情報（Ｍ）とをサーバ装置２０′へ送信する。これにより例えば、受信した宛先情報に含まれる当初発信元宛先情報（Ｉ）を除く宛先へメッセージを送信するといったことができるようになる。
【０１１３】
本実施の形態のこの例では、以上の構成を備えてなり、次のように動作する。具体的に以下の例では、家庭の玄関先に情報提供装置５０を置いておく例について述べる。このときサーバ装置２０′には、予め情報提供装置５０を特定する情報に関連付けて、当該家庭に属する利用者の利用者名（以下、Ａ，Ｂ，Ｃとする）と、それぞれの宛先情報（α，β，γとする）とが登録されているものとする。これらの情報の登録は、ウェブサービスを用いる、広く知られた方法で行うことができるので、ここでの詳しい説明を省略する。
【０１１４】
ここで例えば宅配便の配達者Ｄが端末装置３０′Ｄを情報表示装置１０に近接させるとする。これは具体的に、宅配便を届けに来た配達者Ｄが、この情報提供装置５０を玄関先に配した家庭が留守であるなどして配達ができなかった場合に、その旨のメッセージを残したい場合などが考えられる。
【０１１５】
利用者（配達者）Ｄがその所有する端末装置３０′Ｄを情報提供装置５０に近接させると、情報提供装置５０の通信部５５の通信可能範囲に利用者Ｄの端末装置３０′Ｄが在圏することとなる。そこで情報提供装置５０はこの情報提供装置５０を特定する情報（Ｐ）を取得し、当該情報（Ｐ）を端末装置３０′Ｄへ送信する。
【０１１６】
端末装置３０′Ｄでは、メッセージの入力欄を表示して、メッセージの入力を受け入れる。ここで操作者がメッセージの本文として、例えば「宅配便、お届けにあがりましたが、ご不在のため持ち帰りました。再配達ご希望の場合は、ご都合のよい日時を返信してください」などと入力する。すると端末装置３０′Ｄは、当該操作者から入力を受けたメッセージ本文を表すメッセージの本文情報（Ｍ1）と、情報提供装置５０から受け入れた情報（Ｐ）とをサーバ装置２０′へ送信する。
【０１１７】
サーバ装置２０′は、端末装置３０′から情報提供装置５０を特定する情報（Ｐ）と、メッセージの本文情報（Ｍ1）と、当該情報の送信元である端末装置３０′へのメッセージの送信先を表す宛先情報（発信元宛先情報（Ｉ））とを受信する。サーバ装置２０′は、固有のメッセージ識別子（Ｄ）を発行し、当該メッセージ識別子（Ｄ）と、受信した情報（Ｐ）と、メッセージの本文情報（Ｍ1）と、当初発信元宛先情報（Ｉ）とを互いに関連付けたメッセージレコードを生成し、メッセージデータベースに蓄積して保持する。
【０１１８】
またこのサーバ装置２０′は、当該受信した情報（Ｐ）に関連付けられた利用者情報（Ｕ）を利用者データベース１０３から検索し、当該利用者情報（Ｕ）に含まれる宛先情報（Ａ：α，β，γ）を読み出す。そしてサーバ装置２０′は、当該読み出した宛先情報（Ａ：α，β，γ）で表される各宛先宛に、蓄積したメッセージの本文情報（Ｍ1）と、それに関連付けられたメッセージ識別子（Ｄ）と、当初発信元宛先情報（Ｉ）を含む宛先情報（Ａ：α，β，γ，Ｉ）とを送信する。
【０１１９】
これにより利用者Ａ，Ｂ，Ｃはそれぞれの端末装置３０′にてメッセージの本文情報（Ｍ1）を受信する。そして利用者Ａがこのメッセージを表示させ、返信する指示を行うと、その端末装置３０′Ａは、メッセージの入力欄を表示して、メッセージの入力を受け入れる。ここで操作者（利用者Ａとする）が「了解です。私は受け取れませんがＢが受け取れると思います。Ｂへ何時なら大丈夫？」といったメッセージの本文を入力すると、端末装置３０′は、当該操作者から入力を受けたメッセージの本文情報（Ｍ2）と、受信したメッセージ識別子（Ｄ）と、受信した宛先情報（Ａ：α，β，γ，Ｉ）とをサーバ装置２０′へ送信する。
【０１２０】
サーバ装置２０′は、メッセージ識別子（Ｄ）と、メッセージの本文情報（Ｍ2）と、宛先情報（Ａ：α，β，γ，Ｉ）と、当該情報の送信元である端末装置３０′へのメッセージの送信先を表す発信元宛先情報（Ｆ：この場合は宛先情報αと同じ）とを端末装置３０′Ａから受信すると、このメッセージ識別子（Ｄ）と、メッセージの本文情報（Ｍ2）とを関連付けてメッセージレコードを生成し、メッセージデータベースに蓄積して保持する。またこのときサーバ装置２０′は、当該受信した宛先情報（Ａ：α，β，γ，Ｉ）の表す宛先宛に、当該宛先情報（Ａ：α，β，γ，Ｉ）と、受信したメッセージの本文情報（Ｍ2）と、それに関連付けられたメッセージ識別子（Ｄ）と、発信元宛先情報（Ｆ：α）とを送信する。なお、このとき当初発信元宛先情報（Ｉ）が表す宛先宛には、発信元宛先情報（Ｆ：α）や宛先情報を含めずに、受信したメッセージの本文情報（Ｍ2）と、それに関連付けられたメッセージ識別子（Ｄ）とを送信する。
【０１２１】
ここで利用者Ｂは、その端末装置３０′Ｂにてメッセージの本文情報（Ｍ2）を受信することとなる。そして利用者Ｂがこのメッセージを表示させ、返信する指示を行うと、その端末装置３０′Ｂは、メッセージの入力欄を表示して、メッセージの入力を受け入れる。ここで操作者（利用者Ｂ）が「今日は１８時以降なら大丈夫です」といったメッセージの本文を入力すると、端末装置３０′は、当該操作者から入力を受けたメッセージの本文情報（Ｍ3）と、受信したメッセージ識別子（Ｄ）と、受信した宛先情報（Ａ：α，β，γ，Ｉ）とをサーバ装置２０′へ送信する。
【０１２２】
サーバ装置２０′は、メッセージ識別子（Ｄ）と、メッセージの本文情報（Ｍ3）と、宛先情報（Ａ：α，β，γ，Ｉ）と、当該情報の送信元である端末装置３０′へのメッセージの送信先を表す発信元宛先情報（Ｆ：この場合は宛先情報βと同じ）とを端末装置３０′Ａから受信すると、このメッセージ識別子（Ｄ）と、メッセージの本文情報（Ｍ3）とを関連付けてメッセージレコードを生成し、メッセージデータベースに蓄積して保持する。またこのときサーバ装置２０′は、当該受信した宛先情報（Ａ：α，β，γ，Ｉ）の表す宛先宛に、当該宛先情報（Ａ：α，β，γ，Ｉ）と、受信したメッセージの本文情報（Ｍ3）と、それに関連付けられたメッセージ識別子（Ｄ）と、発信元宛先情報（Ｆ：β）とを送信する。なお、このとき当初発信元宛先情報（Ｉ）が表す宛先宛には、発信元宛先情報（Ｆ：β）や宛先情報を含めずに、受信したメッセージの本文情報（Ｍ3）と、それに関連付けられたメッセージ識別子（Ｄ）とを送信する。
【０１２３】
ここまでの段階で、配達者Ｄは、その端末装置３０′Ｄにてメッセージの本文情報（Ｍ2，Ｍ3）の双方を受信していることとなる。そこでこの利用者Ｄが、端末装置３０′Ｄに返信を指示し、「再配達時間、承りました。１８時以降、再度伺います」といったメッセージの本文を入力すると、端末装置３０′Ｂは、当該操作者から入力を受けたメッセージの本文情報（Ｍ4）と、受信したメッセージ識別子（Ｄ）とをサーバ装置２０′へ送信する。
【０１２４】
そしてサーバ装置２０′は、メッセージ識別子（Ｄ）と、メッセージの本文情報（Ｍ4）と、当該情報の送信元である端末装置３０′Ｄのメッセージの送信先を表す宛先情報（Ｆ：発信元宛先情報、この例では当初発信元宛先情報（Ｉ）と同じ）とを端末装置３０′から受信する。サーバ装置２０′は、メッセージ識別子（Ｄ）と、メッセージの本文情報（Ｍ4）とを関連付けてメッセージレコードを生成し、メッセージデータベースに蓄積して保持するとともに、当該受信したメッセージ識別子（Ｄ）に関連付けられてメッセージデータベースに蓄積されている、情報提供装置５０を特定する情報（Ｐ）を読み出し、この情報（Ｐ）に関連付けられた利用者情報（Ｕ）を利用者データベース１０３から読み出して、当該利用者情報（Ｕ）に含まれる宛先情報（Ａ：α，β，γ）を取得する。そしてサーバ装置２０′は、当該取得した宛先情報（Ａ：α，β，γ）で表される各宛先宛に、受信したメッセージの本文情報（Ｍ4）と、メッセージ識別子（Ｄ）と、当初発信元宛先情報（Ｉ）とを送信する。
【０１２５】
こうして利用者Ａ，Ｂ，Ｃが、配達者Ｄからのメッセージを受領できるようになる。このとき利用者（配達者）Ｄの端末装置３０′Ｄには、一度も利用者Ａ，Ｂ，Ｃの宛先情報α，β，γが知らされることがないので、仮にこの端末装置３０′Ｄが盗用されたとしても、利用者Ａ，Ｂ，Ｃの情報が漏洩することがない。
【０１２６】
さらに本実施の形態のこの例において、サーバ装置２０′は、情報提供装置５０にその端末装置３０′を近接させた利用者から受信したメッセージの本文情報を、当該情報提供装置５０を特定する情報（Ｐ）に関連付けて記録されている利用者情報（Ｕ）の宛先情報（Ａ）に対して送信することとしていたが、この送信は予め定めた条件により制限されてもよい。
【０１２７】
例えば、本実施の形態の一例では、サーバ装置２０′は、情報提供装置５０を特定する情報（Ｐ）に関連付けて、利用者情報（Ｕ）のほかに送信制御情報を保持する。この送信制御情報は、例えば宛先情報のリスト（Ｌ）である。
【０１２８】
この場合、端末装置３０′から情報提供装置５０を特定する情報（Ｐ）と、メッセージの本文情報と、当該情報の送信元である端末装置３０′へのメッセージの送信先を表す宛先情報（当初発信元宛先情報）とを受信すると、サーバ装置２０′は、固有のメッセージ識別子（Ｄ）を発行し、当該メッセージ識別子と、受信した情報（Ｐ）と、メッセージの本文情報（Ｍ）と、当初発信元宛先情報（Ｉ）とを互いに関連付けたメッセージレコードを生成し、メッセージデータベースに蓄積して保持する。
【０１２９】
そしてサーバ装置２０′は、宛先情報のリスト（Ｌ）を読み出して、当該リスト（Ｌ）に当初発信元宛先情報（Ｉ）が含まれているか否かを調べる。ここでリスト（Ｌ）に当初発信元宛先情報（Ｉ）が含まれている場合にはサーバ装置２０′は、このメッセージの本文情報（Ｍ）を他の端末装置３０′へ送信することなく処理を終了する。
【０１３０】
また、このリスト（Ｌ）に当初発信元宛先情報（Ｉ）が含まれていない場合には、サーバ装置２０′は、当該受信した情報（Ｐ）に関連付けられた利用者情報（Ｕ）を利用者データベース１０３から検索する。ここで、受信した情報（Ｐ）に関連付けられた利用者情報（Ｕ）が見出されると、サーバ装置２０′は、当該利用者情報（Ｕ）に含まれる少なくとも一つの宛先情報（Ａ）を読み出す。そしてサーバ装置２０′は、当該読み出した宛先情報（Ａ）で表される各宛先宛に、蓄積したメッセージの本文情報（Ｍ）と、それに関連付けられたメッセージ識別子（Ｄ）と、当初発信元宛先情報（Ｉ）とを送信する。
【０１３１】
またここではリスト（Ｌ）を送信の対象から排除する発信元を列挙したものとした（いわゆるブラックリストであるとした）が、本実施の形態のこの例は、この限りではない。例えばこのリスト（Ｌ）を、メッセージの送信の対象となる発信元を列挙したものとして扱ってもよい（いわゆるホワイトリスト）。
【０１３２】
この例では、サーバ装置２０′が、発行したメッセージ識別子（Ｄ）と、受信した情報（Ｐ）と、受信したメッセージの本文情報（Ｍ）と、当初発信元宛先情報（Ｉ）とを互いに関連付けたメッセージレコードを生成し、メッセージデータベースに蓄積して保持した後に、宛先情報のリスト（Ｌ）を読み出して、当該リスト（Ｌ）に当初発信元宛先情報（Ｉ）が含まれているか否かを調べる。
【０１３３】
ここでの例では、リスト（Ｌ）に当初発信元宛先情報（Ｉ）が含まれていない場合にはサーバ装置２０′は、このメッセージの本文情報（Ｍ）を他の端末装置３０′へ送信することなく処理を終了する。また、このリスト（Ｌ）に当初発信元宛先情報（Ｉ）が含まれている場合には、サーバ装置２０′は、当該受信した情報（Ｐ）に関連付けられた利用者情報（Ｕ）を利用者データベース１０３から検索する。ここで、受信した情報（Ｐ）に関連付けられた利用者情報（Ｕ）が見出されると、サーバ装置２０′は、当該利用者情報（Ｕ）に含まれる少なくとも一つの宛先情報（Ａ）を読み出す。そしてサーバ装置２０′は、当該読み出した宛先情報（Ａ）で表される各宛先宛に、蓄積したメッセージの本文情報（Ｍ）と、それに関連付けられたメッセージ識別子（Ｄ）と、当初発信元宛先情報（Ｉ）とを送信する。
【０１３４】
このようなサーバ装置２０′のリスト（Ｌ）は、ウェブサービスによって、情報提供装置５０の設置者に適宜変更可能としてもよいし、また別の例では、例えば端末装置３０′においてメッセージの本文情報を受信したときに、端末装置３０′からサーバ装置２０′に対して、メッセージ識別子（Ｄ）または当初発信元宛先情報（Ｉ）の少なくとも一方を送信するとともに、当該メッセージの本文情報の発信元をリスト（Ｌ）に加えるよう指示することによって行ってもよい（リスト（Ｌ）がブラックリストである場合）。
【０１３５】
この場合、サーバ装置２０′は、端末装置３０′からメッセージ識別子（Ｄ）または当初発信元宛先情報（Ｉ）の少なくとも一方とともに当該指示を受信して、その当初発信元宛先情報（Ｉ）（メッセージ識別子（Ｄ）のみを受信したときには、当該受信したメッセージ識別子（Ｄ）に関連付けて記憶している当初発信元識別情報（Ｉ））をリスト（Ｌ）に追加する。
【０１３６】
またここでは利用者の登録はウェブサービスを用いることとして説明したが、情報表示装置５０と端末装置３０′とを用いて次のような処理によりサーバ装置２０′に対して利用者の登録を要求しても構わない。
【０１３７】
すなわち、未だサーバ装置２０′の利用者データベース１０３に利用者等が登録されていない情報表示装置５０に対し、最初の利用者Ａが所有する端末装置３０′を近接させると、情報提供装置５０の通信部５５の通信可能範囲に利用者Ａの端末装置３０′が在圏することとなる。そこで情報提供装置５０は自装置を特定する情報（Ｐ）を取得し、当該情報（Ｐ）を端末装置３０′へ送信する。
【０１３８】
ここで端末装置３０′では、メッセージの入力欄を表示するとともに、利用者登録の指示を受け入れ可能である旨（メニュー画面等）を表示する。利用者Ａがこのメニュー画面等を操作して、利用者登録の指示を行うと、端末装置３０′は、利用者登録の要求と、情報提供装置５０から受け入れた情報（Ｐ）と、端末装置３０′を特定する情報（端末装置３０′のメールアドレス等でよい）とをサーバ装置２０′へ送信する。
【０１３９】
この例に係るサーバ装置２０′は、管理者となる利用者の利用者名と、当該利用者を認証するためのパスワードとが、情報提供装置５０を特定する情報（Ｐ）ごとに、利用者データベース１０３に設定されている。そしてサーバ装置２０′は、端末装置３０′から情報表示装置５０を特定する情報（Ｐ）とともに、利用者登録の要求を受信すると、まず、当該情報（Ｐ）が、登録モードにある情報表示装置５０の一覧（後述）に含まれるか否かを調べる。ここで当該情報（Ｐ）が登録モードにある情報表示装置５０の一覧に含まれなければ、サーバ装置２０′は、当該受信した情報表示装置５０を特定する情報（Ｐ）をキーとして利用者データベース１０３を検索する。ここで検索の結果、利用者情報が見出されなかったときには、サーバ装置２０′は、管理者となる利用者の利用者名とパスワードとを入力するべき旨の指示を端末装置３０′に送信する。
【０１４０】
一例としてこの指示は、端末装置３０′に対して電子メールにて行われる。この電子メールには情報表示装置５０を特定可能な情報（情報Ｐのほか、この電子メールを特定する情報など、サーバ装置２０′において入力された管理者の利用者名等を関連付ける情報表示装置５０′が特定できればどのような情報でもよい）が含まれる。
【０１４１】
端末装置３０′の利用者は、電子メールにて受信した指示に従い、管理者となる利用者の利用者名とパスワードと情報表示装置５０を特定可能な情報とをサーバ装置２０′に送信する。この送信は電子メールを用いて行われてもよいし、サーバ装置２０′上が提供するウェブページを用いて行われてもよい。
【０１４２】
サーバ装置２０′は、端末装置３０′から利用者の利用者名とパスワードと情報表示装置５０を特定可能な情報とを受信すると、当該受信した情報で特定される情報表示装置５０を特定する情報（Ｐ）に関連付けて、管理者となる利用者の利用者名とパスワードとを利用者データベース１０３に格納する。またこのとき、サーバ装置２０′は、情報表示装置５０を特定する情報（Ｐ）に対して、当該受信した利用者名と、端末装置３０′へのメッセージの送信先を表す宛先情報（端末装置３０′のメールアドレスや、端末装置３０′が携帯電話機であれば電話番号等でもよい）とを含む利用者情報（Ｕ）とを関連付けて利用者データベース１０３に格納する。
【０１４３】
サーバ装置２０′はまた、端末装置３０′から情報表示装置５０を特定する情報（Ｐ）とともに、利用者登録の要求を受信し、当該受信した情報表示装置５０を特定する情報（Ｐ）をキーとして利用者データベース１０３を検索したときに、当該検索の結果として利用者情報が見出されたときには、サーバ装置２０′は、当該見出した利用者情報に含まれる端末装置３０′へのメッセージの送信先に対して、新規登録者の端末装置３０′を情報表示装置５０へ近接させるよう指示するメッセージを送信する。またサーバ装置２０′は、当該受信した情報（Ｐ）で特定される情報表示装置５０を登録モードにあるものとして記憶する。具体的にサーバ装置２０′は、この受信した情報（Ｐ）を、登録モードにある情報表示装置５０の一覧に含めて記憶する。
【０１４４】
このメッセージを受けた端末装置３０′の利用者Ａは、登録しようとする利用者Ｂの端末装置３０′（以下、区別のため端末装置３０′Ｂとする）を、情報表示装置５０に近接させる。すると、情報提供装置５０の通信部５５の通信可能範囲に利用者Ｂの端末装置３０′Ｂが在圏することとなる。そこで情報提供装置５０は自装置を特定する情報（Ｐ）を取得し、当該情報（Ｐ）を端末装置３０′Ｂへ送信する。
【０１４５】
端末装置３０′Ｂでは、メッセージの入力欄を表示するとともに、利用者登録の指示を受け入れ可能である旨（メニュー画面等）を表示する。端末装置３０′Ｂの操作者がこのメニュー画面等を操作して、利用者登録の指示を行うと、端末装置３０′Ｂは、利用者登録の要求と、情報提供装置５０から受け入れた情報（Ｐ）と、端末装置３０′Ｂを特定する情報（端末装置３０′Ｂのメールアドレス等でよい）とをサーバ装置２０′へ送信する。
【０１４６】
サーバ装置２０′は、端末装置３０′Ｂから情報表示装置５０を特定する情報（Ｐ）とともに、利用者登録の要求を受信すると、当該情報（Ｐ）が、登録モードにある情報表示装置５０の一覧（後述）に含まれるか否かを調べる。ここでは当該情報（Ｐ）が登録モードにある情報表示装置５０の一覧に含まれる。そこでサーバ装置２０′は、利用者の利用者名とパスワードとを入力するべき旨の指示を端末装置３０′Ｂ、または管理者の端末装置３０′に送信する。
【０１４７】
一例としてこの指示は、端末装置３０′Ｂまたは端末装置３０′に対して電子メールにて行われる。この電子メールには情報表示装置５０を特定可能な情報が含まれる。
【０１４８】
この電子メールを受信した端末装置３０′Ｂまたは端末装置３０′の操作者は、当該電子メールにて受信した指示に従い、端末装置３０′Ｂの利用者Ｂの利用者名と、端末装置３０′Ｂへのメッセージの送信先を表す宛先情報と、情報表示装置５０を特定可能な情報とをサーバ装置２０′に送信する。この送信は電子メールを用いて行われてもよいし、サーバ装置２０′上が提供するウェブページを用いて行われてもよい。
【０１４９】
サーバ装置２０′は、端末装置３０′Ｂまたは端末装置３０′から利用者Ｂの利用者名と、端末装置３０′Ｂへのメッセージの送信先を表す宛先情報と、情報表示装置５０を特定可能な情報とを受信すると、当該受信した情報で特定される情報表示装置５０を特定する情報（Ｐ）に対して、当該受信した利用者Ｂの利用者名と、端末装置３０′Ｂへのメッセージの送信先を表す宛先情報とを含む利用者情報（Ｕ）とを関連付けて利用者データベース１０３に格納する。そしてサーバ装置２０′は、当該受信した情報で特定される情報表示装置５０を特定する情報（Ｐ）を、登録モードにある情報表示装置５０の一覧から取り除く。
【０１５０】
本実施の形態のこの例では、このような処理によっても、利用者の登録を受け入れることができる。また、サーバ装置２０′において、既に記録されている利用者名とともに、新たな端末装置３０′へのメッセージの送信先を表す宛先情報が受信された場合は、サーバ装置２０′は、当該既に記録されている利用者名に関連付けている宛先情報を、受信した新たな宛先情報で上書きして利用者データベース１０３を更新してもよい。これにより利用者データベース１０３の内容を修正することが可能となる。
【０１５１】
さらに、ここでの例においてサーバ装置２０′は、情報表示装置５０を特定する情報（Ｐ）を、登録モードにある情報表示装置５０の一覧に含めたときには、当該一覧に含めてからの時間を計時し、予め定めた時間までに当該一覧に含めた情報表示装置５０を特定する情報（Ｐ）に関連付けられるべき利用者名等の情報を受信しないときには、当該情報表示装置５０を特定する情報（Ｐ）を、登録モードにある情報表示装置５０の一覧から取り除くこととしてもよい（いわゆるタイムアウトの処理）。
【符号の説明】
【０１５２】
１０  情報表示装置、１１，３１，５１  制御部、１２，３２，５２  記憶部、１３  出力部、１４，３５  第１通信部、１５，３６  第２通信部、１６，３３  操作部、２０，２０′  サーバ装置、３０，３０′  端末装置、３４  表示部、４１  端末利用者特定部、４２  処理選択部、４３  利用者登録処理部、４４  宛先提供可否判定部、４５  宛先提供部、４６  メッセージ受入部、４７  メッセージ記録部、４８  メッセージ出力部、５０  情報提供部、５５  通信部。
【図１】
2014241546.tif 000003
【図２】
2014241546.tif 000004
【図３】
2014241546.tif 000005
【図４】
2014241546.tif 000006
【図５】
2014241546.tif 000007
【図６】
2014241546.tif 000008
【図７】
2014241546.tif 000009
【図８】
2014241546.tif 000010